(57)【要約】      （修正有）【課題】デスクトップパソコンのキーボード周囲のスペースを多目的に有効活用することができ、利用者の作業効率を向上させることができるキーボード支持台を提供する。【解決手段】デスクトップパソコンのキーボードを支持するキーボード支持台１０であって、キーボードの左右方向に長さ方向を有する平面視横長矩形状の天面プレート１２と、該天面プレート１２を所定の高さで水平に支持するように、天面プレート１２の長手方向の両側で天面プレート１２の下方に垂直に延び設けられる左右一対の側面プレート１４，１６と、天面プレート１２の長さ方向の一端側および／または他端側に配設され、上面が開口された第１の収納部６２とを含み、天面プレート１２の上面にキーボードが載置可能となり、天面プレート１２と左右一対の側面プレート１４，１６とで囲繞された囲繞部が第２の収納部となっている。【選択図】図７
0003159587.tif 000002
【実用新案登録請求の範囲】
【請求項１】
机の上に置いて使用する据え置き型のパーソナルコンピュータのディスプレイの前面側に配置されるキーボードを支持するキーボード支持台であって、
前記キーボードの左右方向に長さ方向を有する平面視横長矩形状の天面プレート、
前記天面プレートを所定の高さで水平に支持するように、前記天面プレートの長手方向の両側で前記天面プレートの下方に垂直に延び設けられる左右一対の側面プレート、および
前記天面プレートの長さ方向の一端側および／または他端側に配設され、上面が開口された第１の収納部を含み、
前記天面プレートの上面に前記キーボードが載置可能となり、前記天面プレートの下面と前記左右一対の側面プレートの内側面とで囲繞された囲繞部が第２の収納部となることを特徴とする、キーボード支持台。
【請求項２】
前記天面プレートの幅方向の一端側で前記左右一対の側面プレート間に接続される背面プレート、および
前記背面プレートの後面の長さ方向に摺動自在に配設される書類ホルダをさらに含むことを特徴とする、請求項１に記載のキーボード支持台。
【請求項３】
前記書類ホルダは、前記背面プレートの後面に配置され、前記背面プレートの長さ方向に沿って摺動自在となるベースプレートと、前記ベースプレートの後面に固定され、書類を起立状態に保持する書類ホルダ本体と、前記ベースプレートを前記背面プレートの後面の長さ方向に沿って摺動自在とする摺動部とを含み、
前記書類ホルダ本体は、その幅方向の一端側が前記ベースプレートの後面の高さ方向の中間部から後方に突出するように前記ベースプレートに支持される平面視横長矩形状の底板と、前記底板の幅方向の一端側から上方に延び設けられる立て板と、前記立て板に配設され、前記底板の上方から前記ベースプレートおよび前記立て板の間に挿入された書類の大きさに応じて、前記書類を支持する書類支持板が着脱自在に取付けられる取付け具とを含み、前記底板の上方から前記ベースプレートおよび前記立て板の間に挿入された書類を起立状態に保持するもので、
前記摺動部は、前記ベースプレートの前面側と前記背面プレートの後面側との間に摺動自在に嵌合される凹凸嵌合部を含み、前記凹凸嵌合部は、前記ベースプレートおよび前記背面プレートの長さ方向に沿って延び設けられ、前記凹凸嵌合部は、前記ベースプレートの前後方向に抜け止め可能となる嵌合形態を有することを特徴とする、請求項２に記載のキーボード支持台。
【請求項４】
前記凹凸嵌合部は、前記背面プレートの後面の上側の長手方向の一端から他端側に所定の長さで延び設けられるガイド溝を備えたガイド凹部と、前記ベースプレートの前面の下側の長手方向の一端から他端に延び設けられ、前記ガイド溝に摺動自在に嵌合されるガイド突起を備えたガイド凸部とを含み、前記ガイド凸部は、前記ベースプレートの前面の長手方向の他端から外方に突出するように配設され、
前記ガイド溝および前記ガイド突起は、前記ベースプレートの前後方向に抜け止め可能となる嵌合形態を有することを特徴とする、請求項３に記載のキーボード支持台。
【請求項５】
前記天面プレートの幅方向の他端側から前方に張り出すように配設される弓形弧状の張り出し部、
前記天面プレートの幅方向の他端側で且つ前記左右一対の側面プレート間に架設される帯板状のリブ部、
その表面側にエンボス加工が施され、その裏面側が前記天面プレートの上面および前記リブ部の前端面に張り換え自在に貼付される化粧シート、および
前記第１の収納部に着脱自在に係止される上面が開口された第３の収納部をさらに含むことを特徴とする、請求項４に記載のキーボード支持台。
【請求項６】
前記第１の収納部は、
上面が開口された有底筒体、
前記有底筒体の内側に間隔を隔てて対向配置される複数の区画壁、および
対向する前記複数の区画壁間に適宜差し込まれ、前記有底筒体の内側を所望する間隔で仕切る仕切り板をさらに含むことを特徴とする、請求項５に記載のキーボード支持台。
【請求項７】
前記第１の収納部は、上面が開口された有底筒体を含み、
前記有底筒体は、装飾意匠が施されたプラスチック製型板で形成されていることを特徴とする、請求項５に記載のキーボード支持台。
【請求項８】
前記背面プレートは、前記パーソナルコンピュータに接続されるケーブルを通す挿通部を有し、
前記左右一対の側面プレートの一方および／または他方の側面プレートは、前記挿通部に通された前記ケーブルを前記側面プレートの内側面および／または外側面に着脱自在に係止する係止留具を有することを特徴とする、請求項６または請求項７に記載のキーボード支持台。
【考案の詳細な説明】
【技術分野】
【０００１】
この考案は、キーボード支持台に関し、特にたとえば、ディスプレイやキーボードが本体と一体型ではなく、机の上に置いて使用する据え置き型の所謂デスクトップパソコンのキーボードに適用され、利用者の作業効率の向上を図るのに有用なキーボード支持台に関する。
【背景技術】
【０００２】
この考案の背景となる従来技術には、パソコン専用のパソコンラックやパソコンデスクにおけるキーボード載置台に関し、キーボードを載置する台板の上面に、左右方向を向く凹溝を形成し、凹溝内に補助テーブルを、左右方向に摺動しうるとともに、その一部が台板の側方へ出没しうるようにして設け、補助テーブルを外側方に引き出すことにより、台板上に載置したキーボードの側方に、所望の広さのマウス操作面や書類等の載置面を簡単に形成することができ、操作性が向上するようにしたキーボード載置台があった（例えば、特許文献１参照）。この場合、キーボード載置台のベースとなる台板が、適宜の案内手段により、主台板の前端より前方に、所要量だけ引出し可能として装着されている。
【先行技術文献】
【特許文献】
【０００３】
【特許文献１】特開平９−１９８１６０号公報
【考案の概要】
【考案が解決しようとする課題】
【０００４】
しかしながら、この従来技術では、キーボードを使用するときには、キーボードを台板の手前前方に引き出して両補助テーブル上にキーボードを載置したままの状態でキーボードおよびマウスを操作するため、パソコンデスクの手前側の作業スペースが狭いものとなって、パソコンデスク上に、カタログ，書籍，伝票，メモ用紙，書類等の各種資料を載置するスペースが充分に取れない。また、パソコンデスク上には、筆記具，消しゴム，クリップ類，ホチキス，ハサミ，定規等の各種文房具、事務用小物、その他、ＣＤ，ＤＶＤ，ＦＤ，ＵＳＢ等の各種記憶媒体等を収納保管するスペースを確保することが困難となるため、各種文房具、事務用小物、記憶媒体等は、それぞれ、別途、パソコンデスクの引き出しやパソコンラック等に収納保管されているのが実情である。
すなわち、従来のキーボード載置台では、キーボードの周囲および手前側のスペースを有効利用することができず、利用者の作業効率の向上を図ることが困難であった。
【０００５】
それゆえに、この考案の主たる目的は、デスクトップパソコンのキーボード周囲のスペースを多目的に有効活用することができ、利用者の作業効率を向上させることができる、キーボード支持台を提供することである。
【課題を解決するための手段】
【０００６】
請求項１にかかる考案は、机の上に置いて使用する据え置き型のパーソナルコンピュータのディスプレイの前面側に配置されるキーボードを支持するキーボード支持台であって、キーボードの左右方向に長さ方向を有する平面視横長矩形状の天面プレートと、天面プレートを所定の高さで水平に支持するように、天面プレートの長手方向の両側で天面プレートの下方に垂直に延び設けられる左右一対の側面プレートと、天面プレートの長さ方向の一端側および／または他端側に配設され、上面が開口された第１の収納部とを含み、天面プレートの上面にキーボードが載置可能となり、天面プレートの下面と左右一対の側面プレートの内側面とで囲繞された囲繞部が第２の収納部となることを特徴とする、キーボード支持台である。
請求項１にかかる考案によれば、利用者が、デスクトップパソコンのキーボードを天面プレートの上面に載せて使用することが可能となる。また、利用者は、第１の収納部に、筆記具，消しゴム，ホチキス，ハサミ，定規等の各種文房具、事務用小物、その他、ＣＤ，ＤＶＤ，ＦＤ，ＭＤ，ＬＳＢ等の各種記憶媒体を収納して保管することが可能となる。そのため、机上におけるキーボードの周囲のスペースが有効活用され、利用者の作業効率が改善され得るものとなる。さらに、キーボードは、天面プレートの下側の囲繞部にも収容できるため、たとえば２つのキーボードを天面プレートの上下２段に収納することも可能となっている。
請求項２にかかる考案は、請求項１にかかる考案に従属する考案であって、天面プレートの幅方向の一端側で左右一対の側面プレート間に接続される背面プレートと、背面プレートの後面の長さ方向に摺動自在に配設される書類ホルダとをさらに含むことを特徴とする、キーボード支持台である。
請求項２にかかる考案によれば、利用者は、帳票，メモ用紙，原稿，書類等を書類ホルダに保持させた状態で作業することが可能となるため、請求項１にかかる考案に比べて、より一層、作業効率が改善され得るものとなる。さらに、この書類ホルダは、背面プレートの後面の長さ方向に摺動自在に移動可能となるため、利用者の要望に応じて、書類ホルダの位置を適宜変更することもできる。また、第２の収納部は、天面プレートの下面と左右一対の側面プレートの内側面と背面プレートの内側面で囲繞された囲繞部により構成されている。
請求項３にかかる考案は、請求項２にかかる考案に従属する考案であって、書類ホルダは、背面プレートの後面に配置され、背面プレートの長さ方向に沿って摺動自在となるベースプレートと、ベースプレートの後面に固定され、書類を起立状態に保持する書類ホルダ本体と、ベースプレートを背面プレートの後面の長さ方向に沿って摺動自在とする摺動部とを含み、書類ホルダ本体は、その幅方向の一端側が前記ベースプレートの後面の高さ方向の中間部から後方に突出するようにベースプレートに支持される平面視横長矩形状の底板と、底板の幅方向の一端側から上方に延び設けられる立て板と、立て板に配設され、底板の上方からベースプレートおよび立て板の間に挿入された書類の大きさに応じて、書類を支持する書類支持板が着脱自在に取付けられる取付け具とを含み、底板の上方からベースプレートおよび背板の間に挿入された書類を起立状態に保持するもので、摺動部は、ベースプレートの前面側と背面プレートの後面側との間に摺動自在に嵌合される凹凸嵌合部を含み、凹凸嵌合部は、ベースプレートおよび背面プレートの長さ方向に沿って延び設けられ、凹凸嵌合部は、ベースプレートの前後方向に抜け止め可能となる嵌合形態を有することを特徴とする、キーボード支持台である。
請求項３にかかる考案では、書類ホルダ本体が、ベースプレートによって、背面プレートの後面の長さ方向に沿って摺動自在に支持されている。書類ホルダ本体では、底板の上方から、ベースプレートおよび立て板の間に挿入された書類が起立状態に保持される。この場合、立て板に設けられた取付け具には、書類の大きさに応じて、書類を支持する書類支持板が着脱自在に取付けられる。また、摺動部では、摺動自在に嵌合された凹凸嵌合部によって、ベースプレートが背面プレートの後面側の長さ方向に沿って摺動自在に移動する。
請求項４にかかる考案は、請求項３にかかる考案に従属する考案であって、凹凸嵌合部は、背面プレートの後面の上側の長手方向の一端から他端側に所定の長さで延び設けられるガイド溝を備えたガイド凹部と、ベースプレートの前面の下側の長手方向の一端から他端に延び設けられ、ガイド溝に摺動自在に嵌合されるガイド突起を備えたガイド凸部とを含み、ガイド凸部は、ベースプレートの前面の長手方向の他端から外方に突出するように配設され、ガイド溝およびガイド突起は、ベースプレートの前後方向に抜け止め可能となる嵌合形態を有することを特徴とする、キーボード支持台である。
請求項４にかかる考案によれば、凹凸嵌合部は、ガイド溝を備えたガイド凹部およびガイド突起を備えたガイド凸部で構成され、ガイド溝とガイド凸部とが摺動自在に嵌合されるものとなっている。
請求項５にかかる考案は、請求項４にかかる考案に従属する考案であって、天面プレートの幅方向の他端側から前方に張り出すように配設される弓形弧状の張り出し部と、天面プレートの幅方向の他端側で且つ左右一対の側面プレート間に架設される帯板状のリブ部と、その表面側にエンボス加工が施され、その裏面側が天面プレートの上面およびリブ部の前端面に張り換え自在に貼付される化粧シートと、第１の収納部に着脱自在に係止される上面が開口された第３の収納部とをさらに含むことを特徴とする、キーボード支持台である。
請求項５にかかる考案によれば、天面プレートおよび張り出し部の上面とリブ部の前端面に化粧シートが形成されているため、キーボード支持台全体の装飾意匠性が向上し美感が優れたものとなる。また、化粧シートは、その表面側にエンボス加工が施されて滑り止め機能を有するため、天面プレートの上面に載置されたキーボードは、ずれることなく安定して支持される。さらに、第１の収納部および第３の収納部は、適宜、併用可能となり、特に、たとえば第３の収納部には、クリップ類，付箋等の事務用小物を収納して保管することが可能となる。そのため、机上におけるキーボードの周囲のスペースが有効に活用され、利用者の作業効率がさらにより一層改善され得るものとなる。
請求項６にかかる考案は、請求項５にかかる考案に従属する考案であって、第１の収納部は、上面が開口された有底筒体と、有底筒体の内側に間隔を隔てて対向配置される複数の区画壁と、対向する複数の区画壁間に適宜差し込まれ、有底筒体の内側を所望する間隔で仕切る仕切り板をさらに含むことを特徴とする、キーボード支持台である。
請求項６にかかる考案によれば、第１の収納部に収納される収納物の大きさ，形状，数量等に応じて、複数の区画壁間に差し込む仕切り板の差し込み箇所を適宜選択することが可能となる。そのため、利用者は、第１の収納部内を所望する間隔に仕切ることが可能となる。机上におけるキーボードの周囲のスペースが有効に活用され、利用者の作業効率がさらにより一層改善され得るものとなる。
請求項７にかかる考案は、請求項５にかかる考案に従属する考案であって、第１の収納部は、上面が開口された有底筒体を含み、有底筒体は、装飾意匠が施されたプラスチック製型板で形成されていることを特徴とする、キーボード支持台である。
請求項７にかかる考案によれば、有底筒体は、装飾意匠が施されたプラスチック製型板で形成されているので、第１の収納部全体が装飾意匠性に優れ、美感豊かなものとすることが可能となっている。
請求項８にかかる考案は、請求項６または請求項７にかかる考案に従属する考案であって、背面プレートは、パーソナルコンピュータに接続されるケーブルを通す挿通部を有し、左右一対の側面プレートの一方および／または他方の側面プレートは、挿通部に通されたケーブルを側面プレートの内側面および／または外側面に着脱自在に係止する係止留具を有することを特徴とする、キーボード支持台である。
請求項８にかかる考案によれば、パーソナルコンピュータに接続されるケーブルの余分な部分を、挿通部を介して、左右一対の一方および／または他方の側面プレートの内側面および／または外側面に引き込んだ後、係止留具で係止することにより、ケーブルの余分な部分が見栄え良くまとめられ、すっきりした環境でパーソナルコンピュータを使用することが可能となると共に、キーボード周囲の机上には、資料や書類を広げるスペースも確保することも可能となる。すなわち、机上におけるキーボードの周囲のスペースが有効に活用され、利用者の作業効率がさらにより一層改善され得るものとなる。
【考案の効果】
【０００７】
この考案のキーボード支持台によれば、上記した構成および作用によって、デスクトップパソコンのキーボード周囲のスペースを多目的に有効活用することができ、利用者の作業効率を向上させることができる、という効果を奏するものとなる。
【０００８】
この考案の上述の目的、その他の目的、特徴および利点は、図面を参照して行う以下の考案を実施するための形態の説明から一層明らかとなろう。
【図面の簡単な説明】
【０００９】
【図１】この考案にかかるキーボード支持台の実施形態の一例を示す一部分解斜視図である。
【図２】図１に示す実施形態例の平面図である。
【図３】図１に示す実施形態例の正面図である。
【図４】図１に示す実施形態例の右側面図である。
【図５】図１〜図４に示す実施形態例に適用された書類ホルダおよび当該書類ホルダの取付け構造を示す要部斜視図である。
【図６】図１〜図５に示す書類ホルダの取付け状態および可動状態を示す要部斜視図である。
【図７】図１〜図４に示す実施形態例の使用状態の一例を示す斜視図である。
【図８】図１〜図４に示す実施形態例の使用状態の他の例を示す斜視図である。
【図９】図１〜図４に示す実施形態例に適用され得る第３の収納部の一例および当該第３の収納部の取付け方法を示す要部斜視図である。
【図１０】図９に示す第３の収納部を図１〜図４に示す実施形態例に取付けた状態の要部を示す一部切欠き断面図である。
【図１１】この考案にかかるキーボード支持台の実施形態の他の例を示す一部分解斜視図である。
【図１２】図１１に示す実施形態例の平面図である。
【図１３】図１１に示す実施形態例の正面図である。
【図１４】図１１に示す実施形態例の右側面図である。
【図１５】図１１〜図１４に示す実施形態例の使用状態の一例を示す斜視図である。
【図１６】第３の収納部の他の例および当該第３の収納部を図１１〜図１４に示す実施形態例の第２の収納部に取付けた状態の要部を示す一部切欠き断面図である。
【考案を実施するための形態】
【００１０】
図１は、この考案にかかるキーボード支持台の実施形態の一例を示す一部分解斜視図である。また、図２は、図１に示す実施形態例の平面図であり、図３はその正面図であり、図４はその右側面図である。
本実施形態例にかかるキーボード支持台１０は、たとえば図７に示すように、机（図示せず）の上に置いて使用する据え置き型の所謂デスクトップ型のパーソナルコンピュータ（以下、単に、「パソコン」という。）のディスプレイＡの前面側に配置されるキーボードＢを支持し、当該キーボードＢの周囲のスペースの有効活用を図り、利用者の作業効率の向上を図るためのものである。
なお、以下に示す本実施形態例の説明では、たとえば図２の紙面で見て、当該紙面の左右方向がキーボード支持台１０の長さ方向を示し、当該紙面の上下方向がキーボード支持台１０の幅方向（前後方向）を示し、図３，図４の紙面で見て、当該紙面の上下方向がキーボード支持台１０の高さ方向を示すものとする。
【００１１】
このキーボード支持台１０は、図１〜図４等に示すように、たとえばキーボードＢの左右方向に長さ方向を有する平面視横長矩形状の天面プレート１２を含む。天面プレート１２の長手方向の一端側および他端側には、それぞれ、天面プレート１２の下方に垂直に延び設けられる側面プレート１４および１６が配設されている。側面プレート１４，１６は、同形同大に形成されている。また、天面プレート１２の幅方向の一端側には、左右一対の側面プレート１４，１６間に接続される横長矩形状の背面プレート１８が配設されている。天面プレート１２および背面プレート１８は、その長さ方向が略同じに形成され、側面プレート１４，１６および背面プレート１８は、その高さ方向が略同じに形成されている。左右一対の側面プレート１４，１６および背面プレート１８によって、天面プレート１２は所定の高さで水平に支持されている。
【００１２】
本実施形態例では、天面プレート１２，左右一対の側面プレート１４，１６および背面プレート１８が、アクリル板等のたとえば透明なプラスチック板で形成されている。天面プレート１２，左右一対の側面プレート１４，１６および背面プレート１８の各部材の端部間がたとえば接着剤で接着される。当該各部材は、一体的に形成されてもよい。また、左右一対の側面プレート１４，１６および背面プレート１８が一体的に形成されたものと、天面プレート１２とが、接着剤で接着されてもよい。
【００１３】
さらに、天面プレート１２には、その幅方向の他端側から前方に張り出すようにして、弓形弧状の張り出し部２０が配設されている。張り出し部２０は、上記した各部材と同様に、アクリル板等のたとえば透明なプラスチック板で形成されている。天面プレート１２および張り出し部２０は、一体的に形成されている。天面プレート１２および張り出し部２０は、その下側に配設されたリブ部２２によって補強されている。リブ２２は、たとえば帯板状に形成され、天面プレート１２の幅方向の他端側で且つ左右一対の側面プレート１４，１６間に架設されている。このリブ部は、たとえば図７に示すように、天面プレート１２および張り出し部２０の上面にキーボードＢが載置された際に、当該天面プレート１２，張り出し部２０が撓まないように補強・支持するものである。
【００１４】
さらに、天面プレート１２，張り出し部２０の上面およびリブ部２２の前端面には、その表面側にエンボス加工が施された化粧シート（図示せず）が張り換え自在に貼付される。化粧シートとしては、たとえばその表面にエンボス・印刷フィルム層を有する塩化ビニル樹脂製のシート基材を含み、当該シート基材の裏面側に、アクリル樹脂等の簡易タイプの粘着材を介して剥離紙が貼着された、たとえば住友スリーエム株製のダイノックフィルム（商品名）が用いられている。この場合、化粧シートは、天面プレート１２，張り出し部２０の平面視形状、リブ部２２の前端面の形状に切断された後、剥離紙が剥され、当該化粧シートの裏面側が天面プレート１２，張り出し部２０の上面およびリブ部２２の前端面に貼付される。なお、この化粧シートは、透明、半透明のもの、あるいは、着色されたものであってもよい。
【００１５】
また、背面プレート１８の後面には、たとえば図１に示すように、その長さ方向に沿って摺動自在に配設される書類ホルダ２４が配設されている。書類ホルダ２４は、概略的に言うと、図１〜図４に示すように、背面プレート１８の後面に配置され、背面プレート１８の長さ方向に沿って摺動自在となるたとえば矩形状のベースプレート２６と、ベースプレート２６の後面に固定され、書類を起立状態に保持する書類ホルダ本体２８と、ベースプレート２６を背面プレートの後面の長さ方向に沿って摺動自在とする摺動部３０とで構成されている。
【００１６】
書類ホルダ本体２８は、図４，図５等に示すように、たとえば平面視横長矩形状の底板３２を含む。底板３２は、その幅方向の一端側がベースプレート２６の後面の高さ方向の中間部から後方に水平に突出し、その幅方向の他端側が上に略直角に延びる矩形状の固定板３４が形成されている。固定板３４は、ベースプレート２６に接着剤等で接着・固定されている。底板３２の幅方向の一端側には、その端部から斜め上方に延び設けられるたとえば矩形状の立て板３６が配設されている。立て板３６の幅方向の両端側には、図２，図３，図４等に示すように、底板３２の上方からベースプレート２６および立て板３６間に挿入された書類（図示せず）の大きさに応じて、書類を支持する書類支持板３８（図２，図３，図４では、二点鎖線で示している）を着脱自在に取付けるための取付け具４０が配設されている。書類ホルダ本体２８を構成する上記した各部材は、塩化ビニル等のプラスチックで形成されている。
【００１７】
この取付け具４０は、図２，図５等に示すように、帯状の基部４２と、基部４２の幅方向の両端端から基部の一方主面側に略直角に延びて対向する挟持挿入片４４，４６とで略Ｕ字形に形成されている。一方の挟持挿入片４４は、特に、たとえば図２に示すように、立て板３６の前面と間隔ｇを隔てた状態で配置され、他方の挟持挿入片４６は、立て板３６の後面に当接した状態で配置される態様となっている。上記した書類支持板３８は、取付け具４０の一方の挟持挿入片４４と立て板３６の前面との間に抜き差し自在に取付けられるものとなる。
【００１８】
摺動部３０は、たとえば図４に示すように、ベースプレート２６の前面側と背面プレート１８の後面側との間に摺動自在に嵌合される凹凸嵌合部４８を含む。凹凸嵌合部４８は、図２，図３に示すように、ベースプレート２６および背面プレート１８の長さ方向に沿って延び設けられ、凹凸嵌合部４８は、図４，図６等に示すように、ベースプレート２６の前後方向に抜け止め可能となる嵌合形態を有するものである。
すなわち、凹凸嵌合部４８は、特に、図４，図５に示すように、その内側にたとえば断面Ｃ字状のガイド溝５０を備えた複数のガイド凹部５２を含む。複数のガイド凹部５２は、間隔を隔てて、背面プレート１８の後面の上側の長手方向の一端から他端側に所定の長さを持って延び設けられている。また、凹凸嵌合部４８は、当該複数のガイド凹部５２と摺動可能に嵌合されるガイド凸部５４を含む。ガイド凸部５４は、特に、図５に示すように、たとえば帯状の基片５６を含み、基片５６は、ベースプレート２６の前面の下側の長手方向の一端から他端側に延び設けられ、さらに延長して、当該ベースプレート２６の長手方向の他端から外方に突出するように配設されている。基片５６の一方主面側には、上記したガイド溝５０に嵌合するたとえば球冠状のガイド突起５８が形成されている。
この場合、凹凸嵌合部４８におけるガイド溝５０およびガイド突起５８の嵌合形態は、ベースプレート２６の前後方向に抜け止め可能となる態様となっている。
【００１９】
本実施形態例では、たとえば図７に示すように、天面プレート１２および張り出し部２０の上面にキーボードＢが載置可能となっている。また、天面プレート１２および張り出し部２０の下面側には、たとえば図１〜図４に示すように、当該天面プレート１２および張り出し部２０の下面と左右一対の側面プレート１４，１６の内側面とで囲繞された囲繞部６０が第２の収納部として構成されるものとなっている。
【００２０】
さらに、本実施形態例では、天面プレート１２の長さ方向の一端側に、上面が開口された第１の収納部６２が配設されている。この第１の収納部６２は、たとえば図１，図２，図３および図９に示すように、その上面に開口部６４を有するたとえば直方体状の有底筒体６６を含む。有底筒体６６の内側には、特に、たとえば図１，図２，図４に示すように、間隔を隔てて対向配置される複数の区画壁６８が所定の間隔を隔てて配設され、且つ、対向する複数の区画壁６８は、特に、図３に示すように、上下に所定の間隔を隔てて配設されている。また、上下２段に配設された複数の区画壁６８，６８，６８，・・・・・，６８は、それぞれ、縦長帯状に形成され、たとえば図１，図２，図９に示すように、平面視略「コ」字形板状の一対の区画壁支持体６９により支持されている。一対の区画壁支持体６９，６９は、有底筒体６６の内面に当接されるように、当該有底筒体６６の内側に装着されている。さらに、対向するこれら複数の区画壁６８，６８間には、図１，図９等に示すように、有底筒体６６の内側を所望する間隔で仕切る仕切り板７０が適宜着脱自在に差し込まれるものとなっている。
【００２１】
また、本実施形態例では、たとえば図１に示すように、背面プレート１８が、複数のたとえば逆Ｕ字形の切欠き部７２を備えている。複数の切欠き部７２は、背面プレート１８の長さ方向に所定の間隔を隔てて配置される。複数の切欠き部７２は、それぞれ、パソコン（図示せず）に接続されるＵＳＢケーブル等の各種ケーブル７４を通す挿通部としての機能を有するものである。さらに、左右一対の側面プレート１４，１６の内側面には、たとえば図１，図３に示すように、それぞれ、複数の切欠き部７２に通されたケーブル７４を着脱自在に係止する係止留具７６が配設されている。
係止留具７６は、当該係止留具７６を側面プレート１４，１６の内側面に固定するための基部７８を含み、基部７８の一端部には、たとえばＬ字状の弾性を有する係止片８０が基部７８と対向するように配設されている。係止片８０は、常時には基部７８側に閉じられる方向に付勢されているが、この係止留具７６で上記したケーブル７４を係止する際には、係止片８０をその付勢力に抗して外方に開いた後、基部７８および係止片８０間に当該ケーブル７４を挟み込んで挟持することにより、当該ケーブル７４を側面プレート１４，１６の内側面に係止して保持することができる。
なお、係止留具７６は、側面プレート１４，１６の内側面に配設されるものに限定されるものではなく、側面プレート１４，１６の内側面に配設されてもよく、また、当該係止留具７６は、左右一対の一方の側面プレート１４または他方の側面プレート１６のいずれかにだけ配設するようにしてもよい。つまり、係止留具７６は、左右一対の一方の側面プレート１４および／または他方の側面プレート１６で、側面プレート１４，１６の内側面および／または外側面に適宜配設され得るものである。
【００２２】
本実施形態例では、たとえば図７に示すように、利用者が、デスクトップパソコンのキーボードＡを天面プレート１２および張り出し部２０の上面に載置して使用することができる。キーボードＡを使用しないときには、当該キーボードＡを天面プレート１２，張り出し部２０の下側の囲繞部６０にも収容することができる。そのため、机上にスペースを確保することができると共に、当該スペースおよび囲繞部６０に、カタログ、手書き納品書、見積書、書類等の各種事務資料Ｄおよび卓上計算機（電卓）等の事務用具Ｆを配置・収納することができる。本実施形態例では、囲繞部６０の間口サイズが、たとえば高さ１４０ｍｍ、左右方向の幅４９４ｍｍの範囲内の大きさの物品（例えば、各種事務資料Ｄ，事務用具Ｅ）ならば、当該物品の少なくとも一部を囲繞部６０の中に出し入れ自在に収納・配置することができる。
【００２３】
さらに、利用者は、図７に示すように、第１の収納部６２に、筆記具，消しゴム，ホチキス，ハサミ，定規等の各種文房具、事務用小物、その他、ＣＤ，ＤＶＤ，ＦＤ，ＭＤ，ＬＳＢ等の各種記憶媒体などの被収納物品Ｆを起立させた状態で収納して保管することができる。この場合、利用者は、第１の収納部６２に収納される被収納物Ｆの大きさ，形状，数量等に応じて、複数の区画壁６８，６８間に差し込む仕切り板７０の差し込み箇所を適宜選択することによって、第１の収納部６２内を所望する間隔に仕切ることができる。
【００２４】
また、本実施形態例では、たとえば図７に示すように、利用者が、帳票，メモ用紙，原稿，書類等を書類ホルダ２４の書類ホルダ本体２８に保持させた状態で作業することができる。書類ホルダ本体２８は、図５，図６に示すように、ベースプレート２６によって、背面プレート１８の後面の長さ方向に沿って摺動自在に支持されている。ベースプレート２６は、背面プレート１８の後面側の長さ方向に沿って摺動自在に移動する。この場合、ガイド溝５０を備えたガイド凹部５２とガイド突起５８を備えたガイド凸部５４とが摺動自在に嵌合されるものとなっている。この書類ホルダ本体２８によれば、底板３２の上方から、ベースプレート２６および立て板３６の間に挿入された書類が起立状態に保持することができる。さらに、この書類ホルダ２４では、図７に示すように、取付け具４０に書類支持板３８を差し込み自在に取付けることにより、書類の大きさに応じて該書類を起立状態に保持することができる。
【００２５】
本実施形態例にかかるキーボード支持台によれば、利用者は、帳票，メモ用紙，原稿，書類等を書類ホルダ２４に保持させた状態で作業することができ、且つ、利用者の要望に応じて、適宜、書類ホルダ２４を背面プレート１８の後面の長さ方向に摺動自在に移動させることができるため、より一層、作業効率を改善することができる。すなわち、本実施形態例では、机上におけるキーボードＢの周囲のスペースが有効活用され、利用者の作業効率を大幅に改善することができる。
【００２６】
本実施形態例では、キーボードＢを天面プレート１２の下側の囲繞部にも収容できるため、たとえば２つのキーボードＢを天面プレートの上下２段に収納することも可能となり、さらに、たとえば図８に示すように、キーボード支持台１０の上にキーボードＢを１台、当該キーボード支持台１０の手前側の机上に他のキーボードＢを１台載置して、２台のパソコンのキーボードＢ，Ｂを併用して使用することもできる。また、利用者にとってキーボード支持台１０の高さが高いときには、使用するキーボードＢの前後方向に見て、キーボードＢの後側をキーボード支持台１０の前側に載せること（図示せず）によって、キーボードＢを傾倒させて使用し易い態様とすることも可能となる。
【００２７】
また、本実施形態例では、天面プレート１２および張り出し部２０の上面とリブ部２２の前端面に化粧シート（図示せず）が形成されているため、キーボード支持台１０全体の装飾意匠性が向上し美感が優れたものとなる。また、化粧シートは、その表面側にエンボス加工が施されて滑り止め機能を有するため、天面プレート１２の上面に載置されたキーボードは、ずれることなく安定して支持することができる。
【００２８】
さらに、本実施形態例によれば、たとえば図１に示すように、パソコンに接続されるケーブル７４の余分な部分を、挿通部である切欠き部７２を介して、左右一対の側面プレート１４，１６の内側面に引き込んだ後、係止留具７６で係止することにより、ケーブル７４の余分な部分が見栄え良くまとめられ、すっきりした環境でパソコンを使用することができる。そのため、本実施形態例では、たとえば図７，図８に示すように、キーボードＢの周囲の机上には、資料や書類を広げるスペースが確保することが可能となり、机上におけるキーボードＢの周囲のスペースが有効に活用され、利用者の作業効率がより一層改善される。なお、本実施形態例によれば、ＵＳＢケーブル等のケーブル７４が係止留具７６を介して、側面プレート１４，１６に着脱自在に保持することができるため、当該キーボード支持台１０のたとえば前面側で、アイポット（iPod），アイフォン（iPhone）等のデータ転送、充電およびフラッシュメモリーの利用等も可能となっている。
【００２９】
また、上述した実施形態例では、たとえば図９および図１０に示すように、上面が開口された第３の収納部８２を第１の収納部６２に着脱自在に係止するようにしてもよい。
すなわち、第３の収納部８２は、その上面に開口部８４を有するたとえば直方体状の有底筒体８６を含む。有底筒体８６は、塩化ビニル等のプラスチックで形成されている。有底筒体８６の１つの壁面部８６ａには、たとえばＵ字状の挟持止具８８が配設されている。挟持止具８８は、弾性を備えた対向するたとえば矩形状の挟持片８８ａ，８８ｂを含む。挟持片８８ａおよび８８ｂは、その弾性力により、互いに閉じられる方向に付勢されている。挟持止具８８は、跨ぐようにして、有底筒体８６の１つの壁面部８６ａに挟持される。この場合、一方の挟持片８８ｂは、有底筒体８６の１つの壁面部８６ａの内面に接着剤等で固着され、他方の挟持片８８ａは、当該壁面部の外面に配置されている。
【００３０】
そして、挟持止具８８は、たとえば図９，図１０に示すように、第１の収納部６２に適宜装着される。挟持止具８８は、一方の挟持片８８ａおよび他方の挟持片８８ｂ間で、第１の収納部６２の１つの壁面部６７を挟み込むようにして、第１の収納部６２に装着される。この場合、挟持片８８ａをその付勢力に抗して外方に開いた後、当該挟持片８８ａと有底筒体８６の壁面部８６ａとの間に、第１の収納部６２の１つの壁面部６７を挟み込むことによって、挟持止具８８が第１の収納部６２に装着される。
【００３１】
この第３の収納部８２には、たとえば図１０に示すように、クリップ類，付箋等の事務用小物Ｇを収納して保管することができる。本実施形態例において第１の収納部６２および第３の収納部８２を併用した場合、机上におけるキーボードＢの周囲のスペースがより一層有効に活用され、利用者の作業効率がさらに改善されるものとなる。
【００３２】
図１１は、この考案にかかるキーボード支持台の実施形態の他の例を示す一部分解斜視図である。また、図１２は、図１１に示す実施形態例の平面図であり、図１３はその正面図であり、図１４はその右側面図である。また、図１５は、図１１〜図１４に示す実施形態例の使用状態の一例を示す斜視図である。
本実施形態例にかかるキーボード支持台１０は、図１〜図４等で示された上述の実施形態例にかかるキーボード支持台１０と比べて、特に、第１の収納部の有底筒体自体に装飾意匠が施された所定の厚みを有する化粧板材で形成されている点で相違している。
すなわち、図１１〜図１４に示す本実施形態例では、天面プレート１２の長さ方向の一端側および他端側に、それぞれ、第１の収納部９０Ａおよび９０Ｂが配設されている。一方の第１の収納部９０Ａは、一方の側面プレート１４の外面に、たとえば図１１で見て、当該第１の収納部９０Ａの右側面部が、接着剤等で固着されている。また、他方の第１の収納部９０Ｂは、天面プレート１２の長さ方向の一端からさらに延設された延設部１３の上に、当該第１の収納部９０Ｂの底面部が、接着剤等で固着されている。
【００３３】
第１の収納部９０Ａ，９０Ｂは、それぞれ、上面が開口された有底筒体９２を含み、有底筒体９２は、装飾意匠が施されたアクリル樹脂等のプラスチック製型板で形成された化粧板材で構成されている。化粧板材としては、たとえば住友ベークライト株式会社製のアクリル型板「グランテリア（商標名）」が用いられている。当該アクリル型板は、基材用樹脂が含浸された基材と、この基材の一面側に形成された表面層とを含み、基材は、表面層側の表面に基材用樹脂に対して非相溶性を有するアクリル樹脂等の非相溶性樹脂を有し、表面層は、この非相溶性樹脂の上に形成されている。当該非相溶性樹脂は、基材表面に、含浸又は塗工されることにより形成されている。
【００３４】
そのため、本実施形態例によれば、第１の収納部９０Ａ，９０Ｂ全体が装飾意匠性に優れ、美感豊かなものとすることが可能となっている。この第１の収納部９０Ａ，９０Ｂには、たとえば図１５に示すように、ＣＤ，ＤＶＤ等の記憶媒体、メモ用紙、付箋入れ、筆記具を含む各種文房具等の様々な小物を収納することができる。
【００３５】
さらに、図１１〜図１４および図１５に示す実施形態例では、図１〜図４等で示された上述の実施形態例と比べて、係止留具の取付け位置および係止留具の構造が相違している。すなわち、本実施形態例に適用された係止留具９４は、たとえば図１１，図１３に示すように、一方の側面プレート１４の内面および他方の側面プレート１６の外面に、それぞれ、たとえば間隔を隔てて２つずつ取付けられている。
当該係止留具９４は、特に、たとえば図１３に示すように、当該係止留具９４を側面プレート１４，１６に固定するための帯板状の基部９６を含み、基部９６の長手方向の一端側部には、たとえば円弧状の弾性を有する係止片９８が基部９６と対向するように配設されている。係止片９８の先端部には、フック爪９８Ａが形成されている。また、基部９６の長手方向の他端側部には、係止片９８のフック爪９８Ａが係止される係止溝１００Ａを備えた係止部１００が配設されている。係止片９８は、常時には基部９６側に閉じられる方向に付勢されているが、係止片９８のフック爪９８Ａを係合部１００の係止溝１００Ａに係止するときには、係止片９８をその付勢力に抗して外方に開いた後、基部９６および係止片９８間にケーブル７４を挟み込んで挟持することにより、当該ケーブル７４を側面プレート１４の内面および側面プレート１６の外面に係止して保持することができる。
【００３６】
さらに、本実施形態例では、上面が開口された第３の収納部１０２を着脱自在に第１の収納部９０Ａおよび／または９０Ｂに装着するようにしてもよい。すなわち、図１１〜図１４および図１５に示す本実施形態例において、第３の収納部１０２は、たとえば図１６に示すように、その上面に開口部１０４を有するたとえば直方体状の有底筒体１０６を含む。有底筒体１０６は、塩化ビニル等のプラスチックで形成されている。有底筒体１０６の１つの壁面部１０６ａには、たとえばＵ字状の挟持止具１０８が配設されている。挟持止具１０８は、弾性を備えた対向するたとえば矩形状の挟持片１０８ａ，１０８ｂを含み、一方の挟持片１０８ａの先端側には、外方に屈曲した屈曲部１１０ａが設けられている。挟持片１０８ａおよび１０８ｂは、その弾性力により、互いに閉じられる方向に付勢されている。挟持止具１０８の挟持片１０８ｂは、有底筒体１０６の１つの壁面部１０６ａの外面に接着剤等で固定されている。
【００３７】
そして、挟持止具１０８は、たとえば図１６に示すように、第１の収納部９０Ｂに装着される。挟持止具１０８は、一方の挟持片１０８ａおよび他方の挟持片１０８ｂ間で、第１の収納部９０Ｂの１つの壁面部９２ｂを挟み込むようにして、第１の収納部９０Ｂに装着される。この場合、挟持片１０８ａをその付勢力に抗して外方に開いた後、当該挟持片１０８ａおよび１０８ｂ間に、第１の収納部９０Ｂの１つの壁面部９２ｂを挟み込むことによって、挟持止具１０８が第１の収納部９０Ｂに装着される。
【００３８】
上述した各実施形態例にかかるキーボード支持台１０では、上記した構成および作用によって、デスクトップパソコンのディスプレイＡの前面側に配置されたキーボードＢの周囲のスペースを多目的に有効活用することができ、利用者の作業効率を向上させることができる。
【符号の説明】
【００３９】
１０  キーボード支持台
１２  天面プレート
１４，１６  側面プレート
１８  背面プレート
２０  張り出し部
２２  リブ部
２４  書類ホルダ
２６  ベースプレート
２８  書類ホルダ本体
３０  摺動部
３２  底板
３６  立て板
３８  書類支持板
４０  取付け具
４８  凹凸嵌合部
５０  ガイド溝
５２  ガイド凹部
５４  ガイド凸部
５８  ガイド突起
６０  囲繞部
６２，９０Ａ，９０Ｂ  第１の収納部
６４，８４，１０４  開口部
８２，１０２  第３の収納部
Ａ  パソコンのディスプレイ
Ｂ  キーボード
６６，９２  有底筒体
６８  区画壁
７０  仕切り板
７２  切欠き部
７４  ケーブル
【図１】
0003159587.tif 000003
【図２】
0003159587.tif 000004
【図３】
0003159587.tif 000005
【図４】
0003159587.tif 000006
【図５】
0003159587.tif 000007
【図６】
0003159587.tif 000008
【図７】
0003159587.tif 000009
【図８】
0003159587.tif 000010
【図９】
0003159587.tif 000011
【図１０】
0003159587.tif 000012
【図１１】
0003159587.tif 000013
【図１２】
0003159587.tif 000014
【図１３】
0003159587.tif 000015
【図１４】
0003159587.tif 000016
【図１５】
0003159587.tif 000017
【図１６】
0003159587.tif 000018